(57)【要約】【課題】灯具が開口部側に突出することを防ぎ、灯具による照射面パターンを良好に確保でき、灯具の調整を手間をかけないで容易におこなうことができる照明器具を提供する。【解決手段】照明器具１０は、灯具１３の上部１４に一端部１６Ａが回動自在に連結されるとともに、枠体１２に他端部１６Ｂが回動自在に連結された上部アーム１６と、灯具１３の下部１５に一端部１７Ａが回動自在に連結されるとともに、枠体１２に他端部１７Ｂが回動自在に連結された下部アーム１７とを備え、上部アーム１６および下部アーム１７を、各々の他端部１６Ｂ，１７Ｂを中心にして揺動させることにより、灯具１３を照射用の開口部２３側に突出させないように灯具１３の向きを調整可能とした。【選択図】図１
2009176596.tif 000002
【特許請求の範囲】
【請求項１】
枠体内に配置され、前記枠体の照射用の開口部に光源を臨ませた灯具と、
前記灯具の上部に一端部が回動自在に連結されるとともに、前記枠体に他端部が回動自在に連結された上部アームと、
前記灯具の下部に一端部が回動自在に連結されるとともに、前記枠体に他端部が回動自在に連結された下部アームと、を備え、
前記上部アームおよび前記下部アームを、各々の他端部を中心にして揺動させることにより、前記灯具を前記開口部側に突出させないように前記灯具の向きを調整可能としたことを特徴とする照明器具。
【請求項２】
前記上部アームおよび前記下部アームを、各々の他端部を中心にして揺動させて前記灯具の向きを傾斜させる際に、前記灯具の上部を略水平に移動させるとともに、前記灯具の下部を上り勾配で移動させることを特徴とする請求項１記載の照明器具。
【発明の詳細な説明】
【技術分野】
【０００１】
本発明は、天井や壁などに埋め込んで所望の方向に照明光を照射するのに適した照明器具に関するものである。
【背景技術】
【０００２】
従来の照明器具のなかには、灯具の向きを変えることで（すなわち、首振りすることで）、灯具の照射方向を調整して所望の方向に照明光を照射するものが知られている（例えば、特許文献１参照）。
この照明器具は、下方に照射用の開口部が開口された矩形状の枠体を備え、この枠体内に灯具が収容され、灯具の光源が照射用の開口部に対向するように配置されている。
【０００３】
具体的には、枠体内に反射板が設けられ、反射板にアームが揺動自在に設けられ、アームに灯具が設けられている。よって、アームを揺動させることで、灯具の向きを調整して、所望の方向に光を照射することが可能である。
【特許文献１】特開平６−３６１２４号公報
【発明の開示】
【発明が解決しようとする課題】
【０００４】
しかし、特許文献１の照明器具は、首振り、すなわち灯具の向きを調整する際に、灯具が照射用の開口部側に突出して（すなわち、開口部側に近づきすぎて）しまうように構成されている。
このため、灯具が開口部から目視されてしまい、意匠性の観点から改良の余地が残されていた。
【０００５】
また、灯具の向きを傾斜させた際に、灯具が照射用の開口部側に突出する（すなわち、開口部側に近づく）ことで、灯具から照射された光のうち、比較的多くの照射量が、照射用の開口部の周縁に遮られてしまうように構成されている。
このため、照射面パターンのうち、略半分のエリアが照射できない状態（すなわち、欠損状態）になり、この観点から改良の余地が残されていた。
【０００６】
この不具合を解消する照明器具として、灯具の向きを調整するとともに、灯具を水平方向にスライド移動させるものが提案されている。
しかし、この照明器具は、灯具の照射位置を決める際に、灯具の傾きを調整し、さらに灯具をスライド移動させる２アクションの操作が必要になり、灯具の調整に手間がかかるという問題がある。
【０００７】
本発明は、前述した要望を満たすためになされたもので、その目的は、灯具の傾きを調整した際に灯具が開口部側に突出することを防ぎ、さらに、灯具による照射面パターンを良好に確保でき、加えて、灯具の調整を手間をかけないで容易におこなうことができる照明器具を提供することにある。
【課題を解決するための手段】
【０００８】
本発明の照明器具は、枠体内に配置され、前記枠体の照射用の開口部に光源を臨ませた灯具と、前記灯具の上部に一端部が回動自在に連結されるとともに、前記枠体に他端部が回動自在に連結された上部アームと、前記灯具の下部に一端部が回動自在に連結されるとともに、前記枠体に他端部が回動自在に連結された下部アームと、を備え、前記上部アームおよび前記下部アームを、各々の他端部を中心にして揺動させることにより、前記灯具を前記開口部側に突出させないように前記灯具の向きを調整可能としたことを特徴とする。
【０００９】
上部アームの一端部を灯具の上部に回動自在に連結するとともに、上部アームの他端部を枠体に回動自在に連結した。また、下部アームの一端部を灯具の下部に回動自在に連結するとともに、下部アームの他端部を枠体に回動自在に連結した。
そして、上部アームおよび下部アームを、各々の他端部を中心にして揺動させることにより、灯具を照射用の開口部側に突出させないように灯具の向きを調整可能とした。
【００１０】
灯具を照射用の開口部側に突出させることなく、灯具の向きを調整できるので（すなわち、首振りできるので）、灯具が開口部から目視されることを防いで意匠性を高めることができる。
【００１１】
さらに、灯具を照射用の開口部側に突出させることなく、灯具の向きを調整できるので、灯具を照射用の開口部に対して好適な位置に保つことができる。
これにより、照射面パターン２８のうち、照射光が欠損状態になるエリアを小さく抑えて、灯具による照射面パターンを良好に確保できる。
【００１２】
加えて、上部アームおよび下部アームを、各々の他端部を中心にして揺動させるだけの１アクションで、灯具の向きを調整できるので、灯具の調整を手間をかけないで容易におこなうことができる。
【００１３】
また、本発明は、前記上部アームおよび前記下部アームを、各々の他端部を中心にして揺動させて前記灯具の向きを傾斜させる際に、前記灯具の上部を略水平に移動させるとともに、前記灯具の下部を上り勾配で移動させることを特徴とする。
【００１４】
灯具の向きを傾斜させる際に、灯具の上部を略水平に移動させるとともに、灯具の下部を上り勾配で移動させるように構成した。
灯具の下部を上り勾配で移動させることで、上部アームおよび下部アームを備えるだけの簡単な構成で、灯具を照射用の開口部側に突出させることなく、灯具の向きを調整できる。
【発明の効果】
【００１５】
本発明の照明器具によれば、上部アームおよび下部アームを各々の他端部を中心にして揺動させて灯具を開口部側に突出させないように灯具の向きを調整可能とした。
これにより、灯具の傾きを調整した際に灯具が開口部側に突出することを防ぎ、さらに、灯具による照射面パターンを良好に確保でき、加えて、灯具の調整を手間をかけないで容易におこなうことができるという効果を有する。
【発明を実施するための最良の形態】
【００１６】
以下、本発明の実施形態に係る照明器具について、図面を参照して説明する。
図１に示すように、本実施形態の照明器具１０は、天井１１に埋め込まれた枠体１２と、枠体１２内に配置された灯具１３と、灯具１３の上部１４を支える上部アーム１６と、灯具１３の下部１５を支える下部アーム１７とを備えている。
【００１７】
枠体１２は、側壁２１の上端部２１Ａに天井面２２を備え、下端部２１Ｂに照射用の開口部２３が形成されるとともに張出部２４が形成されている。
枠体１２は、側壁２１が天井１１の取付開口部２６に差し込まれ、張出部２４を天井１１の表面１１Ａに当接した状態で取り付けられている。
【００１８】
灯具１３は、光源であるランプ（図示せず）が内蔵されている。灯具１３は、ランプを照射用の開口部２３に臨ませた状態で枠体１２内に収容されている。
この灯具１３によれば、内蔵されたランプを点灯することで、ランプからの照射光が開口部２３を経て照射面パターン２８（図２、図３参照）の領域を照射可能である。
【００１９】
上部アーム１６は、灯具１３の上部１４に一端部１６Ａが下支軸３１を介して回動自在に連結されるとともに、枠体１２の天井面２２に他端部１６Ｂが上支軸３２を介して回動自在に連結された直線状のアームである。
【００２０】
具体的には、上部アーム１６の一端部１６Ａは、上部１４のうち、灯具１３の軸線１３Ａ上に下支軸３１を介して設けられている。
また、上部アーム１６の他端部１６Ｂは、枠体１２の天井面２２のうち、軸線１３Ａの左側部位２２Ａに上支軸３２を介して設けられている。
【００２１】
上部アーム１６は、一端部１６Ａおよび他端部１６Ｂがばね（図示せず）を挟んで支持されることにより摩擦力を発生させている。よって、一端部１６Ａおよび他端部１６Ｂは、摩擦力以上の外力を作用させることで回動可能となり、摩擦力未満の外力に対しては固定可能である。
上部アーム１６は、他端部１６Ｂの上支軸３２を軸にして角度θ１の範囲で揺動自在に設けられている。
【００２２】
下部アーム１７は、灯具１３の下部１５に一端部１７Ａが下支軸３４を介して回動自在に連結されるとともに、枠体１２の天井面２２に他端部１７Ｂが上支軸３５を介して回動自在に連結された直線状のアームである。
【００２３】
具体的には、下部アーム１７の一端部１７Ａは、灯具１３の下部１５のうち、灯具１３の軸線１３Ａ上に下支軸３４を介して設けられている。
また、下部アーム１７の他端部１７Ｂは、枠体１２の天井面２２のうち、軸線１３Ａの右側部位２２Ｂに上支軸３５を介して設けられている。
【００２４】
下部アーム１７は、一端部１７Ａおよび他端部１７Ｂがばね（図示せず）を挟んで支持されることにより摩擦力を発生させている。よって、一端部１７Ａおよび他端部１７Ｂは、摩擦力以上の外力を作用させることで回動可能となり、摩擦力未満の外力に対しては固定可能である。
下部アーム１７は、他端部１７Ｂの上支軸３５を軸にして角度θ２の範囲で揺動自在に設けられている。
【００２５】
上部アーム１６の他端部１６Ｂを上支軸３２を中心にして揺動させるとともに、下部アーム１７の他端部１７Ｂを上支軸３５を中心にして揺動させることで、灯具１３の向きを鉛直の位置（以下、鉛直位置という）Ｐ１から、傾斜させた位置（以下、傾斜位置という）Ｐ２の間で矢印Ａの方向に調整可能（首振り可能）である。
【００２６】
そして、灯具１３の向きを鉛直位置Ｐ１から傾斜位置Ｐ２まで傾斜させる際に、灯具１３の上部１４を矢印Ｂ方向に略水平に移動させるとともに、灯具１３の下部１５を矢印Ｃ方向に上り勾配で移動させることが可能である。
【００２７】
よって、照明器具１０は、上部アーム１６および下部アーム１７を、各々の他端部１６Ｂ，１７Ｂを中心にして揺動させることにより、灯具１３の下部１５を照射用の開口部２３側に突出させないように灯具１３の向きを調整できる。
すなわち、灯具１３を鉛直位置Ｐ１に配置したときや、傾斜位置Ｐ２に配置したときに、灯具１３の下部１５は略同じ高さＨに配置される。
【００２８】
つぎに、照明器具１０の灯具１３を鉛直位置Ｐ１から傾斜位置Ｐ２に傾ける例を図２〜図３に基づいて説明する。
図２に示すように、上部アーム１６を他端部１６Ｂ側の上支軸３２を軸に矢印Ｂの如く揺動するとともに、下部アーム１７を他端部１７Ｂ側の上支軸３５を軸に矢印Ｃの如く揺動する。
灯具１３の上部１４が略水平に矢印Ｂの如く移動するとともに、灯具１３の下部１５が上り勾配で矢印Ｃの如く移動する。
【００２９】
よって、図３に示すように、灯具１３を斜位置Ｐ２に配置したときに、灯具１３の下部１５は、灯具１３を斜位置Ｐ２に配置したときと略同じ高さＨに配置される。
すなわち、灯具１３の下部１５を照射用の開口部２３側に突出させることなく、灯具１３の向きを調整できる。
このように、灯具１３の下部１５を開口部２３から離すことで、灯具１３が開口部２３から目視されることを防いで意匠性を高めることができる。
【００３０】
さらに、灯具１３を照射用の開口部２３側に突出させることなく、灯具１３の向きを調整できるので、灯具１３を照射用の開口部２３に対して好適な位置に保つことができる。
これにより、照射面パターン２８のうち、照射光が欠損状態になる領域２８Ａを小さく抑えて、灯具１３による照射面パターン２８を良好に確保できる。
【００３１】
加えて、上部アーム１６および下部アーム１７を、各々の他端部１６Ｂ，１７Ｂを中心にして揺動させるだけの１アクションで、灯具１３の向きを調整できるので、灯具１３の調整を手間をかけないで容易におこなうことができる。
【００３２】
また、灯具１３の下部１５を上り勾配で矢印Ｃ（図２参照）の如く移動させることで、上部アーム１６および下部アーム１７を備えるだけの簡単な構成で、灯具１３を照射用の開口部２３側に突出させることなく、灯具１３の向きを調整できる。
【００３３】
つぎに、第２〜第３実施形態を図４〜図５に基づいて説明する。なお、第２〜第３実施形態において第１実施形態の照明器具１０と同一類似部材のものについては同じ符号を付して説明を省略する。
【００３４】
図４に示す第２実施形態の照明器具４０は、第１実施形態の照明器具１０に対して上部アーム４１および下部アーム４２の連結部位を代えたもので、その他の構成は第１実施形態の照明器具１０と同じである。
【００３５】
具体的には、上部アーム４１は、一端部４１Ａが灯具１３の上部１４の右側部１４Ａに下支軸３１を介して回動自在に連結され、他端部４１Ｂが天井面２２のうち、灯具１３の略軸線１３Ａ上に上支軸３２を介して回動自在に連結されている。
また、下部アーム４２は、一端部４２Ａが灯具１３の下部１５の右側部１５Ａに下支軸３４を介して回動自在に連結され、他端部４２Ｂが側壁２１に上支軸３５を介して回動自在に連結されている。
【００３６】
第２実施形態の照明器具４０によれば、上部アーム４１の他端部４１Ｂを上支軸３２を中心にして揺動させるとともに、下部アーム４２の他端部４２Ｂを上支軸３５を中心にして揺動させることで、灯具１３の向きを鉛直位置Ｐ１から傾斜位置Ｐ２の間で矢印Ａの如く調整可能に構成されている。
【００３７】
また、照明器具４０によれば、灯具１３の向きを鉛直位置Ｐ１から傾斜位置Ｐ２まで傾斜させる際に、灯具１３の上部１４を矢印Ｄ方向に略水平に移動させるとともに、灯具１３の下部１５を矢印Ｅ方向に上り勾配で移動させるように構成されている。
【００３８】
よって、上部アーム４１および下部アーム４２を、各々の他端部４１Ｂ，４２Ｂを中心にして揺動させることにより、灯具１３を照射用の開口部２３側に突出させないように灯具１３の向きを調整できる。
すなわち、第２実施形態の照明器具４０によれば、第１実施形態の照明器具１０と同様の効果を得ることができる。
【００３９】
図５に示す第３実施形態の照明器具５０は、第１実施形態の照明器具１０に対して上部アーム５１および下部アーム５２の連結部位を代えたもので、その他の構成は第１実施形態の照明器具１０と同じである。
【００４０】
具体的には、上部アーム５１は、一端部５１Ａが灯具１３の上部１４の左側部１４Ｂに下支軸３１を介して回動自在に連結され、他端部５１Ｂが側壁２１の上端部２１Ａ（詳しくは、上端部２１Ａのうち、左側部の部位）に上支軸３２を介して回動自在に連結されている。
【００４１】
また、下部アーム５２は、一端部５２Ａが灯具１３の下部１５の右側部１５Ａに下支軸３４を介して回動自在に連結され、他端部５２Ｂが側壁２１の略中央部２１Ｃ（詳しくは、略中央部２１Ｃのうち、右側部の部位）に上支軸３５を介して回動自在に連結されている。
【００４２】
第３実施形態の照明器具５０によれば、上部アーム４１の他端部４１Ｂを上支軸３２を中心にして揺動させるとともに、下部アーム４２の他端部４２Ｂを上支軸３５を中心にして揺動させることで、灯具１３の向きを鉛直位置Ｐ１から傾斜位置Ｐ２の間で矢印Ａ方向に調整可能に構成されている。
【００４３】
また、照明器具５０によれば、灯具１３の向きを鉛直位置Ｐ１から傾斜位置Ｐ２まで傾斜させる際に、灯具１３の上部１４を矢印Ｆの如く略水平に移動させるとともに、灯具１３の下部１５を矢印Ｇの如く上り勾配で移動させるように構成されている。
【００４４】
よって、上部アーム５１および下部アーム５２を、各々の他端部５１Ｂ，５２Ｂを中心にして揺動させることにより、灯具１３を照射用の開口部２３側に突出させないように灯具１３の向きを調整できる。
すなわち、第３実施形態の照明器具５０によれば、第１実施形態の照明器具１０と同様の効果を得ることができる。
【００４５】
なお、本発明の照明器具は、前記第１〜第３の実施形態に限定されるものではなく、適宜の変更改良などが可能である。
例えば、前記第１〜第３の実施形態においては、照明器具１０，４０，５０を天井１１埋め込む例について説明したが、これに限らないで壁に埋め込むことも可能である。
【００４６】
また、前記第１〜第３の実施形態で示した枠体１２、灯具１３、上部アーム１６，４１，５１や下部アーム１７，４２，５２などの形状は例示したものに限定するものではなく適宜変更が可能である。
【図面の簡単な説明】
【００４７】
【図１】本発明に係る照明器具の第１実施形態を示す側面図である。
【図２】第１実施形態の照明器具の灯具を鉛直位置に配置した状態を示す側面図である。
【図３】第１実施形態の照明器具の灯具を傾斜位置に配置した状態を示す側面図である。
【図４】本発明に係る照明器具の第２実施形態を示す側面図である。
【図５】本発明に係る照明器具の第３実施形態を示す側面図である。
【符号の説明】
【００４８】
１０，４０，５０  照明器具
１２  枠体
１３  灯具
１４  灯具の上部
１５  灯具の下部
１６，４１，５１  上部アーム
１６Ａ，４１Ａ，５１Ａ  上部アームの一端部
１６Ｂ，４１Ｂ，５１Ｂ  上部アームの他端部
１７，４２，５２  下部アーム
１７Ａ，４２Ａ，５２Ａ  下部アームの一端部
１７Ｂ，４２Ｂ，５２Ｂ  下部アームの他端部
２３  照射用の開口部
【図１】
2009176596.tif 000003
【図２】
2009176596.tif 000004
【図３】
2009176596.tif 000005
【図４】
2009176596.tif 000006
【図５】
2009176596.tif 000007